(57)【要約】【課題】製造コスト及びランニングコストを低減することができる表示装置を提供する。【解決手段】走査駆動部２０により紫外線光源１８がメッセージボード１６の表示領域にわたって走査される。このとき、紫外線光源１８が発光してメッセージボード１６の裏面側に対して光が照射され、メッセージボード１６に所定の情報が表示される。このように、紫外線光源１８が走査されるので、予め、メッセージボード１６の表示領域の全部にわたって紫外線光源１８を設けておく必要がない。これにより、紫外線光源１８の個数を低減させることができ、また紫外線光源１８を小型化させることができる。この結果、表示装置１０の製造コストを低減することができ、また表示装置１０のランニングコストも低減させることができる。【選択図】      図３
2007171357.tif 000002
【特許請求の範囲】
【請求項１】
前面側に所定の情報を表示する表示部と、
前記表示部の裏面側に対して光を照射する発光源と、
前記表示部の所定の情報を表示する表示領域にわたって前記発光源を走査させる走査駆動部と、
を含んで構成されたことを特徴とする表示装置。
【請求項２】
前記表示部は、複数の蓄光蛍光体を有し、
前記発光源は、走査方向に対して直交する方向に配置された前記蓄光蛍光体のそれぞれに対応して複数設けられていることを特徴とする請求項１に記載の表示装置。
【発明の詳細な説明】
【技術分野】
【０００１】
本発明は、所定の情報を表示する表示装置に係り、特に表示部に蓄光パネルを用いた表示装置に関する。
【背景技術】
【０００２】
従来から表示装置の中には、表示部の裏面側にＬＥＤなどの発光源が固定されており、この発光源が発光することにより表示部に所定の情報が表示されるものがある。ここで、発光源は表示部の表示面積に相当する領域に広く配置されており、表示部の全ての領域で所定の情報を表示できるようになっている。
【特許文献１】特開２００３−３１６３０４号公報
【発明の開示】
【発明が解決しようとする課題】
【０００３】
ところで、上記従来の表示装置では、発光源が固定されているため、発光源を表示部の表示面積に相当する広範囲に常に設けておく必要があり、製造コストが増大する問題があった。また、上記の理由により、発光源が大型化するため、表示装置のランニングコストも大幅に増大する問題があった。
【０００４】
そこで、本発明は、上記事情を考慮し、製造コスト及びランニングコストを低減することができる表示装置を提供することを目的とする。
【課題を解決するための手段】
【０００５】
請求項１に記載の発明は、前面側に所定の情報を表示する表示部と、前記表示部の裏面側に対して光を照射する発光源と、前記表示部の所定の情報を表示する表示領域にわたって前記発光源を走査させる走査駆動部と、を含んで構成されたことを特徴とする。
【０００６】
請求項１に記載の発明によれば、走査駆動部により発光源が表示部の所定の情報を表示する表示領域にわたって走査される。このとき、発光源が発光して表示部の裏面側に対して光が照射され、表示部の前面側に所定の情報が表示される。以上のように、本発明によれば、発光源が走査されるので、予め、表示部の表示領域の全部にわたって発光源を設けておく必要がない。これにより、発光源の個数を低減させることができ、また発光源を小型化させることができる。この結果、表示装置の製造コストを低減することができ、また、表示装置のランニングコストも低減させることができる。
【０００７】
請求項２に記載の発明は、請求項１に記載の表示装置において、前記表示部は、複数の蓄光蛍光体を有し、前記発光源は、走査方向に対して直交する方向に配置された前記蓄光蛍光体のそれぞれに対応して複数設けられていることを特徴とする。
【０００８】
請求項２に記載の発明によれば、表示部は複数の蓄光蛍光体を有し、発光源は走査方向に対して直交する方向に配置された蓄光蛍光体のそれぞれに対応して複数設けられていることにより、発光源を走査駆動部により所定の方向に走査させるだけで、表示部の表示領域の全ての部位に光を照射させることができる。
【発明の効果】
【０００９】
本発明によれば、表示装置の製造コスト及びランニングコストを低減することができる。
【発明を実施するための最良の形態】
【００１０】
次に、本発明の一実施形態に係る表示装置について、図面を参照して説明する。
【００１１】
図１乃至図３に示すように、表示装置１０は、正面視にて長方形状をした表示部１２を備えている。この表示部１２の前面側は、ガラス等の透明パネルに蓄光蛍光体１４をドット状かつマトリックス状に複数塗布したメッセージボード１６を備えている。この表示部１２の前面側には、所定の情報が表示される。蓄光蛍光体１４として、単色の表示板やＲ・Ｇ・Ｂ（赤・緑・黒）の各色を塗布したものが用いられる。なお、蓄光蛍光体１４の材質については、上記した特許文献１に開示されているので、その詳細説明を省略する。
【００１２】
また、表示部１２の裏面側には、紫外線を含む光を発光する紫外線光源１８が配置されている。この紫外線光源１８は、その走査方向（図１中矢印Ｘ方向）に対して直交する方向（図１中矢印Ｙ方向）に配置された蓄光蛍光体１４のそれぞれに対応するように複数設けられている。
【００１３】
また、各紫外線光源１８は、走査駆動部２０に設けられている。この走査駆動部２０は、制御部（図示省略）により制御されており、メッセージボード１６の表示領域の全部にわたって移動できるように構成されている。これにより、紫外線光源１８は走査駆動部２０の移動と共に所定の方向（図１中矢印Ｘ方向）に走査され、メッセージボード１６の裏面側の略全範囲に紫外線を含む光を照射させることができる。
【００１４】
次に、本実施形態の表示装置１０の作用について説明する。
【００１５】
図１乃至図３に示すように、メッセージボード１６に所定の情報を表示させる場合には、図示しない制御部により走査駆動部２０が制御され、紫外線光源１８が走査駆動部２０と共に走査方向（図１中矢印Ｘ方向）に走査される。そして、発行させたい蓄光蛍光体１４に対応する位置に操作されたとき、紫外線光源１８が発光してメッセージボード１６の裏面側に光が照射されることにより、蓄光蛍光体１４が発行し表示部１２の前面側に所定の情報が表示される。このように、走査駆動部２０を移動させることにより、メッセージボード１６の表示領域の全部にわたって紫外線光源１８から光を照射させることができる。このため、予め、メッセージボード１６の表示領域の全部にわたって紫外線光源１８を設けておく必要がない。これにより、紫外線光源１８の個数を低減させることができ、また紫外線光源１８を小型化させることができる。この結果、表示装置１０の製造コストを低減することができ、また、表示装置１０のランニングコストも低減させることができる。
【００１６】
特に、メッセージボード１６は複数の蓄光蛍光体１４を有し、紫外線光源１８は走査方向（図１中矢印Ｘ方向）に対して直交する方向（図１中矢印Ｙ方向）に配置された蓄光蛍光体のそれぞれに対応して複数設けられていることにより、紫外線光源１８を走査駆動部２０により所定の方向に走査させるだけで、メッセージボード１６の表示領域の全ての部位に光を照射させることができる。
【図面の簡単な説明】
【００１７】
【図１】本発明の一実施形態に係る表示装置の正面図である。
【図２】本発明の一実施形態に係る表示装置の縦断面図である。
【図３】本発明の一実施形態に係る表示装置の横断面図である
【符号の説明】
【００１８】
１０      表示装置
１２      表示部
１４      蓄光蛍光体
１８      紫外線光源（発光源）
２０      走査駆動部
【図１】
2007171357.tif 000003
【図２】
2007171357.tif 000004
【図３】
2007171357.tif 000005